(57)【要約】【課題】  接着剤の塗布位置及び塗布量が容易に分かり、接着強度及び機械的強度が強い無機質建築板を提供する。【解決手段】  無機質建築板の略平坦な裏面１に、複数の小穴２を近接して設けることで接着剤溜り３を形成し、この接着剤溜り３を間隔をあけて複数設け、更に、接着剤溜り３を平面視略円形に形成し、この接着剤溜り３が縦方向と横方向にそれぞれ一定間隔をあけて複数設けると共に、小穴２が平面視略円形で、その深さを接着剤溜り３の中心に近いものほど深くすることで、接着剤の塗布位置及び塗布量が容易に分かり、接着強度及び機械的強度が強い無機質建築板となる。【選択図】図２
2006348610.tif 000002
【特許請求の範囲】
【請求項１】
無機質建築板の略平坦な裏面に、複数の小穴を近接して設けることで接着剤溜りを形成し、この接着剤溜りを間隔をあけて複数設けたことを特徴とする無機質建築板。
【請求項２】
接着剤溜りを平面視略円形に形成し、この接着剤溜りが縦方向と横方向にそれぞれ一定間隔をあけて複数設けられていることを特徴とする請求項１記載の無機質建築板。
【請求項３】
接着剤溜りを平面視略楕円形に形成し、この接着剤溜りが複数個、略楕円形の長手方向に沿って直線状に列として設けられ、この列を略平行に複数本設けたことを特徴とする請求項１記載の無機質建築板。
【請求項４】
小穴が平面視略円形で、その深さを接着剤溜りの中心に近いものほど深くしたことを特徴とする請求項１〜３のいずれか１つに記載の無機質建築板。
【発明の詳細な説明】
【技術分野】
【０００１】
本願発明は、建物の壁面や天井に使用される無機質建築板に関し、特には、その裏面に接着剤塗布面を設けた無機質建築板に関する。
【背景技術】
【０００２】
従来から、ロックウールなどの無機質材料からなる無機質建築板を、接着剤を用いて壁面や天井などの下地面に固定することがあった。このとき、接着剤の塗布位置及びその塗布量が重要であり、仮にそれらを誤ると、接着不良を起こしたり、接着剤が無機質建築板からはみ出して見栄えが悪くなるなどの恐れがある。接着不良については、特に、天井に無機質建築板を固定する場合においては重要な問題であり、なぜなら、接着剤による固定で、無機質建築板の自重を支える必要があるためである。しかしながら、一般的な無機質建築板では、接着剤の塗布位置に関しては無機質建築板の裏面に線を引くなどして目印をつけている場合もあるが、その塗布量については施工説明書などに塗布する高さ及び幅の目安は記載されているものの、接着剤を塗布するときにその高さ及び幅を計測することは困難であるため、ばらつきが生じることが多かった。
【０００３】
一方、特開平１１−１００９１７号公報には、建築板の裏面全面に凹凸を設けたものが開示されている。このものにおいては、凹凸を設けることで接着剤を均等に塗布することができるが、建築板の裏面に比較的大きな凹凸が設けられているため、建築板の凹部の部分の厚みは薄くなってしまい、建築板としての機械的強度が低下するおそれがあった。又、この凹凸は裏面の全面に亘って設けられているため、建築板の機械的強度が全面に亘って低下するだけでなく、接着剤の塗布位置及び塗布量が明確に示されていなかった。
【特許文献１】特開平１１−１００９１７号公報
【発明の開示】
【発明が解決しようとする課題】
【０００４】
本願発明は、上記背景技術に鑑みて発明されたものであり、その課題は、接着剤の塗布位置及び塗布量が容易に分かり、接着強度及び機械的強度が強い無機質建築板を提供することである。
【課題を解決するための手段】
【０００５】
上記課題を解決するために、本願発明の請求項１に係る無機質建築板においては、無機質建築板の略平坦な裏面に、複数の小穴を近接して設けることで接着剤溜りを形成し、この接着剤溜りを間隔をあけて複数設けたことを特徴とするものである。
【０００６】
又、請求項２記載の無機質建築板は、接着剤溜りを平面視略円形に形成し、この接着剤溜りが縦方向と横方向にそれぞれ一定間隔をあけて複数設けられていることを特徴とするものである。
【０００７】
又、請求項３記載の無機質建築板は、接着剤溜りを平面視略楕円形に形成し、この接着剤溜りが複数個、略楕円形の長手方向に沿って直線状に列として設けられ、この列を略平行に複数本設けたことを特徴とするものである。
【０００８】
又、請求項４記載の無機質建築板は、小穴が平面視略円形で、その深さを接着剤溜りの中心に近いものほど深くしたことを特徴とするものである
【発明の効果】
【０００９】
本願発明の請求項１に係る無機質建築板によると、複数の小穴を近接して設けることで接着剤溜りを形成しているため、無機質建築板の機械的強度を低下させることなく、接着剤との接着面積を増やすことで、接着強度及び機械的強度に優れた無機質建築板となる。
【００１０】
又、請求項２記載の無機質建築板によると、接着剤溜りを平面視略円形に形成し、この接着剤溜りが縦方向と横方向にそれぞれ一定間隔をあけて複数設けているため、接着剤を無機質建築板に略等量ずつ均等に塗布することができ、接着剤の塗布位置及び塗布量が明確に分かるため、施工を正確且つ迅速に行うことができる。
【００１１】
又、請求項３記載の無機質建築板によると、接着剤溜りを平面視略楕円形に形成し、この接着剤溜りが複数個、略楕円形の長手方向に沿って直線状に列として設けられ、これを略平行に複数本設けているため、無機質建築板を桟などのような棒状の下地の上に施工するときには、接着剤がちょうど下地に当接ざれる部分にのみに塗布され、接着剤を無駄にすることなく、正確な施工ができる。
【００１２】
又、請求項４記載の無機質建築板によると、小穴が平面視略円形であるので、小穴から亀裂が生じにくく、又、その深さを接着剤溜りの中心に近いものほど深くしているため、接着剤が接着剤溜りの中心に向かって流れ込み、接着剤が接着剤溜りからはみ出にくい。
【発明を実施するための最良の形態】
【００１３】
図１〜３は、本願の請求項１、２及び４に対応した一実施形態である無機質建築板を示している。この実施形態の無機質建築板は、無機質建築板の略平坦な裏面１に、複数の小穴２を近接して設けることで接着剤溜り３を形成し、この接着剤溜り３を間隔をあけて複数設けている。
【００１４】
又、接着剤溜り３を平面視略円形に形成し、この接着剤溜り３が縦方向と横方向にそれぞれ一定間隔をあけて複数設けられている。
【００１５】
又、小穴２が平面視略円形で、その深さを接着剤溜り３の中心に近いものほど深くしている。
【００１６】
以下、この実施形態の無機質建築板を、より具体的詳細に説明する。この実施形態の無機質建築板は、ロックウール、珪藻土や石膏などの無機質材料からなるものであり、天井材や壁材として使われるものである。この無機質建築板にはその裏面１すなわち接着剤４が塗布される接着面には、図２に示すように、平面視略円形の小穴２が近接して複数設けられることで、接着剤溜り３が形成されている。この接着剤溜り３はこの場合、直径（ｒ）３ｍｍの平面視円形の小穴２が隣接して集合し、直径（Ｒ）２０ｍｍの平面視円形の接着剤溜り３を形成している。この接着剤溜り３は、図２（ｂ）に示すように、小穴２の深さは中心に近いものほど深くなっており、接着剤溜り３は全体としてすり鉢状になっている。なお、もっとも深い小穴２の深さ（Ｄ）は、３ｍｍである。
【００１７】
又、図１に示すように、この接着剤溜り３は無機質建築板の裏面１に複数個設けられており、この場合、縦（Ｙ）６０６ｍｍ×横（Ｘ）３０３ｍｍ×厚さ（ｔ）９ｍｍの無機質建築板に、横方向に３つの接着剤溜り３を設け、これを縦方向に略平行に５列設けることで計１５個の接着剤溜り３を設けている。この場合、接着剤溜り３の間隔は、横方向（ａ）が１０９ｍｍで、縦方向（ｂ）が１３０ｍｍである。なお、接着剤溜り３は、縦方向、横方向ともに、無機質建築板の端からは、５０ｍｍほど間隔（ｃ）をあけて設けている。
【００１８】
なお、この場合、縦方向、横方向ともに、等間隔に接着剤溜まり３を設けているが、この接着剤溜まり３の配置は、無機質建築板を施工する下地材の形状にも依存するため、上記実施形態の寸法には限定されず、例えば各列間の寸法を異なるようにしたり、接着剤溜まり３を互い違いに配置するなどして、所定間隔をあけて設けても良い。
【００１９】
この無機質建築板の施工に用いる接着剤４は、酢酸ビニル系、ウレタン系、変性シリコン系などの接着剤４を用い、ハンドガンなどを用いて塗布する。これらの接着剤４を接着剤溜り３に収まるように塗布する。すると、図３に示すように、これらの接着剤４は無機質建築板の内部には浸透せず、無機質建築板の裏面１から盛り上がった状態となる。接着剤４は、この接着剤溜り３にちょうど収まるように設けることで、常に略一定量が計量されるようになっている。従って、無機質建築板の接着に必要な接着剤４の量に応じて、接着剤溜り３の大きさ、深さを調整する。
【００２０】
従って、この実施形態の無機質建築板においては、複数の小穴２を近接して設けることで接着剤溜り３を形成しているため、接着剤溜り３全体を１つの穴で形成したときのように、無機質建築板の厚みが広範囲に亘って薄くなることがないので、無機質建築板の機械的強度が低下しない。それに加え、複数の小穴２で接着剤溜り３を形成することで、接着剤溜り３の表面積、すなわち接着剤４を塗布したときの接着面積が増え、接着剤溜り３に細かい凹凸ができることで、アンカー効果も加わり、接着強度が向上する。
【００２１】
又、接着剤溜り３を平面視略円形に形成し、この接着剤溜り３が縦方向と横方向にそれぞれ一定間隔をあけて複数設けているため、接着剤４を無機質建築板に略等量ずつ均等に塗布することができ、接着剤４の塗布位置及び塗布量が明確に分かるため、施工を正確且つ迅速に行うことができる。又、均等に接着剤４が塗布されることで、無機質建築板を下地材に貼り付けたとき、無機質建築板の荷重が均等に支持され、強固に且つ見栄えよく取り付けることができる。従って、この接着剤溜り３の配置の仕方は、無機質建築板を施工する下地材が、板状であるときに適している。
【００２２】
又、小穴２が平面視略円形であるので、矩形や多角形としたときのように角が存在しないので、小穴２から亀裂が生じにくく、無機質建築板の機械的強度を保持することができる。又、小穴２の深さを接着剤溜り３の中心に近いものほど深くしているため、接着剤４が接着剤溜り３の中心に向かって流れ込み、接着剤４が接着剤溜り３からはみ出にくい。
【００２３】
図４は、本願の請求項１、３及び４に対応した他の実施形態である無機質建築板を示している。この実施形態の無機質建築板は、接着剤溜り３を平面視略楕円形に形成し、この接着剤溜り３が略楕円形の長手方向に沿って直線状に複数個設けられ、これを略平行に複数本設けている。
【００２４】
この場合、縦（Ｙ）６０６ｍｍ×横（Ｘ）３０３ｍｍ×厚さ（ｔ）９ｍｍの無機質建築板に、横方向に平面視略楕円形の接着剤溜り３を楕円の長手方向に沿って３つ設け、これを縦方向に略平行に５列設けることで計１５個の接着剤溜り３を設けている。この場合、接着剤溜り３の縦方向の間隔（ｂ）は、１３０ｍｍであり、無機質建築板の端からは、５０ｍｍほど間隔（ｃ）をあけて設けている。なお、この接着剤溜り３の縦方向の間隔（ｂ）は、この無機質建築板を取り付ける桟の間隔に合わせて設定されるため、上記の寸法に限定されない。
【００２５】
従って、この実施形態の無機質建築板においては、接着剤溜り３を平面視略楕円形に形成し、この接着剤溜り３が略楕円形の長手方向に沿って直線状に複数個設けられ、これを略平行に複数本設けているため、無機質建築板を桟などのような棒状の下地材の上に施工するときには、接着剤４がちょうど下地材に当接される部分にのみに塗布され、接着剤４を無駄にすることなく、正確な施工ができる。すなわち、この接着剤溜り３の配置の仕方は、下地材が桟のような棒状のときに適している。
【００２６】
なお、それ以外の構成については上記実施形態と同様であり、効果についても同様のものを奏する。
【００２７】
なお、無機質建築板の小穴２の設け方としては、無機質建築板を硬化させる前に予め小穴２を設けて硬化させても、硬化させた後に無機質建築板をドリルやきりなどで切削して小穴２を設けてもよい。硬化させた後に小穴２を設ける場合は、一般的な方法で製造した略平坦な裏面を有する無機質建築板に、小穴２を切削するだけで接着剤溜まり３を形成できるため、製造ラインを新しく組み替える必要がない。又、この接着剤溜り３は、釘や針などの針状体１本で、無機質建築板を複数回刺すことで形成することもできるが、複数の針状体を予め接着剤溜り３の形状に配置した、剣山状のものを用いて、一度に形成することもできる。
【００２８】
又、本願発明においては、小穴２の形状は略円形に限定されるものではなく、略楕円形、略矩形や略多角形でもかまわない。
【図面の簡単な説明】
【００２９】
【図１】本願発明の一実施形態である無機質建築板の裏面を示す平面図。
【図２】同無機質建築板の接着剤溜りを示す（ａ）は平面図、（ｂ）は（ａ）のＡ−Ａ断面図。
【図３】同無機質建築板に接着剤を塗布したときの接着剤溜りを示す（ａ）は平面図、（ｂ）は（ａ）のＡ−Ａ断面図。
【図４】本願発明の他の実施形態である無機質建築板の裏面を示す平面図。
【符号の説明】
【００３０】
１  裏面
２  小穴
３  接着剤溜り
４  接着剤 
【図１】
2006348610.tif 000003
【図２】
2006348610.tif 000004
【図３】
2006348610.tif 000005
【図４】
2006348610.tif 000006